(57)【特許請求の範囲】
【請求項１】
緩やかな斜面を上面に形成した補助台本体の最も高い側に略Ｕ字状の切欠部を形成し、前記補助台本体上に人間が背を当て仰向けに横倒えた場合に、その前端が第７頸椎に達する第一枕板を前記切欠部の奥部に回動自在に配設するとともに、前記第一枕板前端に位置する第二枕板を前記補助台本体の端部に回動自在に配設し、これら第一及び第二枕板の各前端を互いに反対方向へ上下動せしめるための昇降装置を、前記第一及び第二枕板の下面に配設したことを特徴とする星状神経節ブロック手技用補助台。
【請求項２】
昇降装置は、外側縁に歯部を形成し、かつ同一円周上を回動自在にＵ字状切欠部に配設した円弧状ギヤ、この円弧状ギヤの両端に配設した空転可能な車輪、この車輪が係合する第一及び第二枕板の下面に配設したガイドレール、そしてこのうち第一枕板下面に配設するガイドレールは第一枕板の回動と関係なく回動可能に第一枕板の下面又はＵ字状切欠部に配設したもの、並びに前記円弧状ギヤに噛合するウオームギヤの回転手段で形成した請求項１記載の星状神経節ブロック手技用補助台。
【請求項３】
昇降装置は、流体圧シリンダーである請求項１記載の星状神経節ブロック手技用補助台。
【請求項４】
昇降装置は、流体圧の出し入れ可能な流体圧収納袋である請求項１記載の星状神経節ブロック手技用補助台。
【請求項５】
枕板又は第一枕板は、補助台本体の上面に係止するストッパーを配設した請求項１、請求項２、請求項３又は請求項４記載の星状神経節ブロック手技用補助台。
【発明の詳細な説明】
【０００１】
【産業上の利用分野】
この発明は、第７頸椎の前面に存在する星状神経節ブロックの医療的施術又は手技をするに好適な星状神経節ブロック手技用補助台に関するものである。
【０００２】
【従来の技術】
脳卒中後の肩手症候群、頭痛、頸腕症候群、首・肩こり、むちうち損傷、肩関節周囲炎（いわゆる五十肩）、肩峰下石灰沈着症、上腕骨外側上果炎、肘関節痛、腱鞘炎、慢性関節リウマチ、首・肩・上肢部の筋肉痛、レイノー病、自律神経失調症（不定愁訴）等の症状に対する治療として、第７頸椎の前面に存在する星状神経節ブロックを施術又は手技することが良好であることはすでに知られている。
【０００３】
これらの施術又は手技として従来は、前記星状神経節ブロックに対する注射法が一般であったが、この星状神経節ブロックの周辺には、頸動脈、反回神経、腕神経叢、肺尖部が存在するため、前記注射法による場合、細心の注意を払わないと患者の身体に関する重大事件にも発展する等、危険性をともなっていたのである。
【０００４】
これを回避するため、他の手技又は施術としてレーザー光線による照射法が開発され、この結果レーザー光線の照射法によっても注射法と同様の効果が認められるに至っている。
【０００５】
ところで前記のように注射法又は照射法においても、前記第７頸椎を首の背後から前方（喉方向）へ押し出すようにして星状神経節ブロックを前面に導かなければならないため、首を伸展させる必要があった。
【０００６】
そのため、従来一般に行われていた方法は、第７頸椎の背後に、治療室に存在する細い枕状クッション又は棒状に巻いたバスタオルを当てる等して伸展せしめていたのである。
【０００７】
【発明が解決しようとする課題】
しかし上記の方法を用いた場合、患者、すなわち個体差に応じた伸展位を十分に形成することができず、したがってその姿勢が不安定となり、その結果、十分な伸展位を得られないまま注射又は照射せざるを得ず、十分な施術又は手技効果が得られなかったのみならず、前記のような注射法による危険性が指摘されていたのであった。
【０００８】
また従来の上記の施術又は手技に際しては、一般的な平坦な治療用ベットに仰向けに横たえた患者の首の裏側に前記のようなクッション又は棒状に巻いたバスタオルを位置せしめ、かつこれが治療に携わる医師の勘によって行われていたために、個体差の変化には十分に対応できる伸展位を実現することは不可能であった。
【０００９】
【課題を解決するための手段】
そこでこの発明に係る星状神経節ブロック手技用補助台（請求項１）は前記の課題を解決するために、、緩やかな斜面を上面に形成した補助台本体の最も高い側に略Ｕ字状の切欠部を形成し、前記補助台本体上に人間が背を当て仰向けに横倒えた場合に、その前端が第７頸椎に達する第一枕板を前記切欠部の奥部に回動自在に配設するとともに、前記第一枕板前端に位置する第二枕板を前記補助台本体の端部に回動自在に配設し、これら第一及び第二枕板の各前端を互いに反対方向へ上下動せしめるための昇降装置を、前記第一及び第二枕板の下面に配設したものである。
【００１０】
またこの発明に係る星状神経節ブロック手技用補助台（請求項２）は前記の課題を解決するために、前記昇降装置は、外側縁に歯部を形成し、かつ同一円周上を回動自在にＵ字状切欠部に配設した円弧状ギヤ、この円弧状ギヤの両端に配設した空転可能な車輪、この車輪が係合する第一及び第二枕板の下面に配設したガイドレール、そしてこのうち第一枕板下面に配設するガイドレールは第一枕板の回動と関係なく回動可能に第一枕板の下面又はＵ字状切欠部に配設したもの、並びに前記円弧状ギヤに噛合するウオームギヤの回転手段で形成したものである。
【００１１】
さらにこの発明に係る星状神経節ブロック手技用補助台（請求項３）は前記の課題を解決するために、前記昇降装置を、流体圧シリンダーとしたものである。
【００１２】
またこの発明に係る星状神経節ブロック手技用補助台（請求項４）は前記の課題を解決するために、前記昇降装置を、流体圧の出し入れ可能な流体圧収納袋としたものである。
【００１３】
またこの発明に係る星状神経節ブロック手技用補助台（請求項５）は前記の課題を解決するために、前記枕板又は第一枕板には、補助台本体の上面に係止するストッパーを配設したものである。
【００１４】
【作用】
請求項１に記載した星状神経節ブロック手技用補助台にあっては、前記枕板に相当する第一枕板を上方に回動するとともに、この第一枕板の先端方向に存在する第二枕板の前端を徐々に下方に回動せしめることによって施術中又は手技中の患者の頭部の安定を図ることにより、患者に対する精神的な安定感を与え、また施術又は手技の終了後は第一及び第二枕板を逆方向へ回動せしめることによって頭部を第二枕板によって徐々に上げ、ベッドより起き上がる際の首の戻しを容易にすることができる。
【００１５】
また請求項２に記載した星状神経節ブロック手技用補助台にあっては、前記の作用に加え、前記第一及び第二枕板の回動を回転手段の操作により、この回転手段に連結されているウオームギヤを回転せしめ、ウオームギヤが噛合している円弧状ギヤの円弧状方向への移動を促し、もってこの円弧状ギヤの両端に配設されている車輪を介して、この車輪が係合しているガイドレールによって第一及び第二枕板を回動せしめることができるとともに、回転手段の回転を停止することによって第一及び第二枕板の回動を停止・固定するのである。また第一枕板にストッパーを配設した場合には、第一枕板の降下方向への回動を補助台本体上面の斜面に平行して停止させるとともに、この第一枕板の下面に配設されているガイドレールのみをさらに下降せしめることによって第二枕板の先端を上方に回動せしめ、これにより患者の頭部を第二枕板によって徐々に上げ、ベッドより起き上がる際の首の戻しが容易になるのである。
【００１６】
さらに請求項３及び４に記載した星状神経節ブロック手技用補助台にあっては、前記した請求項３の昇降装置の構造をより簡易にすることにより前記した各作用を円滑に行うことができる。
【００１７】
さらにまた請求項５に記載した星状神経節ブロック手技用補助台にあっては、請求項１に記載した枕板及び請求項２以降に記載した第一枕板を補助台本体の上面に形成した斜面よりも下方に回動することを防止することにより、補助台本体に形成した略Ｕ字状の切欠部に患者の首が係入すること及び首、頭部の不必要な下降を防止することができるとともに、第一枕板の下面に配設されているガイドレールのみを徐々に下方に回動することを可能とし、その結果、第二枕板の先端を上方へより大きく回動することが可能となり、患者がベッドより起き上がる際の首の戻しをよりいっそう容易にすることができるのである。
【００１８】
【実施例】
＜第１実施例＞
次にこの発明に係る星状神経節ブロック手技用補助台の第１実施例を図１に基づいて述べると、１は緩やかな斜面２を上面に形成した補助台本体であり、３はこの補助台本体１における最も高い側に形成した略Ｕ字状の切欠部である。そして前記補助台本体１は、平面視で約５０ｃｍ×約４０ｃｍの長方形状に形成すれば十分であり、またこのサイズに形成した場合の前記傾斜角を約１２度とすれば、最も高い側の高さは約１２ｃｍとなる。そしてこの補助台本体１に対する前記略Ｕ字状の切欠部３は、前記の位置において間口７ｃｍ程度、奥行き１２ｃｍ程度の奥細りの長めの台形状のものとしてある。
【００１９】
４は前記切欠部３に係合する形状又はそれよりやや長めの台形状に形成した枕板であり、この枕板４は前記切欠部３の奥部において回動自在に配設するとともに、この枕板４の長さ、すなわち前記のように回動自在に配設した状態における先端位置が、前記補助台本体１に人間が背を当て仰向けに横たわった場合に、当該人間の第７頸椎に達する長さとするのである。
【００２０】
５は枕板４の長手方向側部に形成又は配設したストッパーであり、このストッパー５は、枕板４を補助台本体１の斜面に面一の姿勢にした場合に、この補助台本体１に形成した切欠部３の両端における補助台本体１の縁部に係止し、枕板４の下降を規制するものである。
【００２１】
尚、前記枕板４の下面には、この枕板４を上下動せしめるための昇降装置６を配設してある。この昇降装置６は、この場合、例えばエアー又はオイル等の流体圧シリンダーであってもよく、かかる流体圧の出し入れ可能な流体圧収納袋（いずれも図示せず）であってもよい。
【００２２】
そこで上面が平坦な治療用ベッド等の上に、前記補助台本体１を、その最も高い側を前記ベッドの枕元にむけ、患者はその上面に背を当てて仰向けに横たわる。
【００２３】
その後、枕板４を昇降装置６を作動せしめて徐々に上方に回動せしめ、患者の第７頸椎を押し上げるようにして星状神経節ブロックを前方（喉方向）へ出すように首の伸展を図り、その個体差に応じた適正な伸展位となった段階で枕板４の上昇を停止する。
【００２４】
適正な伸展位とは、個体差にもよるところであるが、おおむね３ｃｍ押し上げることによって実現するため、前記枕板４も３ｃｍ程度上昇せしめればよいことになるが、その状態は外部から目視によって確認することができるのである。
【００２５】
この状態において注射法又はレーザー光線の照射法による施術又は手技を施し、これが終了した時点で、前記枕板４を昇降装置６を作動せしめて反対方向へ回動せしめればよい。このように枕板４を反対方向に回動せしめれば、その下降限において枕板４に形成又は配設したストッパー５が補助台本体１の切欠部３両側に当接することによって停止することになるのである。
【００２６】
＜第２実施例＞
次にこの発明に係る星状神経節ブロック手技用補助台の第２実施例を図２乃至図８に基づいて述べるが、この実施例において前記第１実施例と相違する点は、前記枕板４に相当する第一枕板４の先端位置に第二枕板７を回動自在に配設した点である。この第二枕板７は補助台本体１の最も高い側に対して回動自在に配設するも、第一枕板４とは異なる作動をなし、かつ第一枕板４の前端延長位置に存在する。
【００２７】
このように第一枕板４に対して第二枕板７を配設したのは、前記第一枕板４では、第７頸椎を支承することはでき、その結果、首の伸展を図ることは十分可能であるものの、第７頸椎の先に存在する頭部を支承することができないため、患者としては精神的にも不安定な姿勢を余儀なくされることが予想され、かつ施術又は手技終了後に起き上がる際に、首の戻しが容易でないことも憂慮されるため、これを配慮したのである。
【００２８】
またここに用いる昇降装置６については、前記した流体圧シリンダー又は流体ある収納袋であっても差し支えないが、例えば図３乃至図５に示すものを用いることができる。
【００２９】
すなわち同図において８，８’はそれぞれ第一枕板４及び第二枕板７の下面に配設したガイドレールであり、このガイドレール８，８’は前記第一枕板４及び第二枕板７において互いに同一線上に位置し、独立して下向きに配設されている。このうちガイドレール８’は第二枕板７の下面に固定的に配設されているが、他のガイドレール８は、その後端が第一枕板４の下面又は補助台本体１に形成したＵ字状切欠部３の奥部に、回動自在に配設してある。すなわち前記第一枕板４はそれ自体でも回動するが、ガイドレール８自体も第一枕板４と関係なく回動することができるのである。
【００３０】
９は前記ガイドレール８，８’に係合して空転する車輪１０を両端に配設した円弧状ギヤであり、この円弧状ギヤ９の外側縁に歯部を形成してある。またこの円弧状ギヤ９は図示するように正円の２分の１、すなわち半円状に形成してあるが、これを正円であると仮定した場合の中心位置を、補助台本体１に形成したＵ字状切欠部３内に回動自在に連結するものとする。具体的には、前記切欠部３内に、これを横断する状態で回転軸１１を配設するとともに、円弧状ギヤに配設しら連杆１２によって連結するものとする。
【００３１】
また１３はこの円弧状ギヤ９に噛合するウオームギヤであり、１４はウオームギヤ１３に連結したハンドルである。尚、このウオームギヤ１３を回転せしめる手段としては、前記ハンドル１４に代えてモーター（図示せず）であってもよい。
【００３２】
そこでこのハンドル１４等の回転手段を作動せしめれば、ウオームギヤ１３が回転し、ウオームギヤ１３と噛合している円弧状ギヤ９が前記回転軸１１を中心に円弧状方法へ回動することになる。
【００３３】
このように円弧状ギヤ９が円弧状方向へ回動することによって、この円弧状ギヤ９の両端部に配設されている車輪１０が前記ガイドレール８，８’を走行することになるため、この車輪１０が第一枕板４及び第二枕板７の先端方向に移動すれば、第一枕板４は回動するガイドレール８に押圧されながら前端部は上昇し、第二枕板７の前端部は下降することになるのである。
【００３４】
またハンドル１４を反対方向に回転せしめれば、ウオームギヤ１３及び円弧状ギヤ９を介して前記車輪１０は前記とは反対方向へ移動することになるため、第一枕板４の前端は下降し、第二枕板７の前端は上昇することになるが、この場合第一枕板４はガイドレール８の押圧力が解けることによって自重又は患者の荷重によって下方へ回動するのである。
【００３５】
いずれにしても第一枕板４の前端を上昇せしめ第二枕板７の前端を下降せしめた状態で第１実施例に記載した施術又は手技を施せばよく、かつ第一枕板４はその前端がストッパー５により規制される下降限まで回動せしめることにより、この結果、第二枕板７をほぼ面一となる時点がある。その後さらに円弧状ギヤ９を同一方向へ回動せしめると、第一枕板４の下面に存在するガイドレール８のみがさらに回動することになるとともに、第二枕板７はその先端部がより上方へ回動することになるため、第一枕板４と第二枕板７の全体が、あたかもく字状の姿勢を呈することになるため、この上面に存在する患者の頭部が持ち上げられ、もって補助台本体１より起き上がる際の首の戻しが容易になる。
【００３６】
【発明の効果】
前記のようにこの発明に係る星状神経節ブロック手技用補助台（請求項１）によれば、緩やかな斜面を上面に形成した補助台本体の最も高い側に略Ｕ字状の切欠部を形成し、前記補助台本体上に人間が背を当て仰向けに横倒えた場合に、その前端が第７頸椎に達する第一枕板を前記切欠部の奥部に回動自在に配設するとともに、前記第一枕板前端に位置する第二枕板を前記補助台本体の端部に回動自在に配設し、これら第一及び第二枕板の各前端を互いに反対方向へ上下動せしめるための昇降装置を、前記第一及び第二枕板の下面に配設してあるので、前記の効果に加えて第二枕板が頭部の台となるのみならず、この第二枕板の上方への回動によって頭部が持ち上げられ、起き上がる際の首の戻しに関する患者自身の肉体的な負担又は苦痛をともなうことなく行うことができるという効果を有するのである。
【００３７】
さらにこの発明に係る星状神経節ブロック手技用補助台（請求項２）によれば、昇降装置は、外側縁に歯部を形成し、かつ同一円周上を回動自在にＵ字状切欠部に配設した円弧状ギヤ、この円弧状ギヤの両端に配設した空転可能な車輪、この車輪が係合する第一及び第二枕板の下面に配設したガイドレール、そしてこのうち第一枕板下面に配設するガイドレールは第一枕板の回動と関係なく回動可能に第一枕板の下面又はＵ字状切欠部に配設したもの、並びに前記円弧状ギヤに噛合するウオームギヤの回転手段で形成してあるので、前記の効果に加え、第一及び第二枕板の回動を回転手段の操作によって自在かつ円滑に行うことができるのみならず、首の伸展状況を医師が外観しつつ行うことができ、かつ回転手段の回転を停止することによって第一及び第二枕板の固定化も図ることができるという効果を有する。
【００３８】
尚、昇降装置を流体圧シリンダー（請求項３）、流体圧の出し入れ可能な流体圧収納袋（請求項４）とすることによって、スイッチ操作で前記枕板（第一枕板）及び／又は第二枕板を回動せしめることができるとともに、枕板又は第一枕板に、補助台本体の上面に係止するストッパーを配設することによって、枕板又は第一枕板の無用な下降を防止することができるという効果を有するのである。
【図面の簡単な説明】
【図１】  この発明に係る星状神経節ブロック手技用補助台の第１実施例を示す斜視図である。
【図２】  この発明に係る星状神経節ブロック手技用補助台の第２実施例を示す斜視図である。
【図３】  図２のＡ−Ａ線断面図である。
【図４】  図２のＡ−Ａ線断面において、第一及び第二枕板が回動した状態を示す断面図である。
【図５】  図２のＡ−Ａ線断面において、第一枕板が下降限に達し、第二枕板の先端を上昇した状態を示す断面図である。
【図６】  補助台本体の斜視図である。
【図７】  図３のＢ−Ｂ線断面図である。
【図８】  図３のＣ−Ｃ線断面図である。
【符号の説明】
１  補助台本体
２  斜面
３  切欠部
４  枕板（第一枕板）
５  ストッパー
６  昇降装置
７  第二枕板
８，８’  ガイドレール
９  円弧状ギヤ
１０  車輪
１１  回転軸
１２  連杆
１３  ウオームギヤ
１４  ハンドル
【図１】
0003665822.tif 000002
【図６】
0003665822.tif 000003
【図２】
0003665822.tif 000004
【図３】
0003665822.tif 000005
【図４】
0003665822.tif 000006
【図５】
0003665822.tif 000007
【図７】
0003665822.tif 000008
【図８】
0003665822.tif 000009